(57)【要約】【課題】  結合し易く、外れ難いネックレスなどの線条部材の留具を提供する。【解決手段】  本発明の留具１００は、線条部材２０の一端に設けられた第１留具１１０と、線条部材２０の別の端部に設けられた第２留具１２０とからなる。前記第１留具１１０には、第１磁石１１２と、球形の突起１１３を形成する。第２留具１２０には、第２磁石１２２と凹部１２３を形成する。第１留具１１０と第２留具１２０とを重ねると、第１磁石１１２と第２磁石１２２とが吸着し、球形の突起１１３が凹部１２３に嵌入する。突起１１３が球形なので、凹部１２３との間にガタツキを無くすことができ、結合力が上がる。突起を半球を越えたものにすると、さらに外れにくくなる。【選択図】      図１
2009268856.tif 000002
【特許請求の範囲】
【請求項１】
線条部材の一端に設けられた第１留具と、前記線条部材の他端又は別の線条部材の端部に設けられた第２留具と、前記第１留具に設けられた１以上の第１磁石及び１以上の半球形の突起及び／又は１以上の凹部と、前記第２留具に設けられた１以上の凹部及び／又は１以上の半球形の突起と、１以上の磁性体とを有し、前記第１磁石と磁性体との吸着力により前記第１留具と前記第２留具が接合したとき、前記半球形の突起が前記凹部にガタツキのない状態で収容されることを特徴とする留具。
【請求項２】
線条部材の一端に設けられた第１留具と、前記線条部材の他端又は別の線条部材の端部に設けられた第２留具と、前記第１留具に設けられた１以上の第１磁石と、１以上の突起及び／又は１以上の凹部と、前記第２留具に設けられた１以上の凹部及び／又は１以上の突起と、１以上の磁性体とを有し、前記突起の根本に隣接した位置の径が突起の根本の径より大きく、前記凹部の入口に隣接した部分が、入口の径より大きな径で、前記第１磁石と磁性体との吸着力により前記第１留具と前記第２留具が接合したとき、前記突起が凹部にガタツキのない状態で収容されることを特徴とする留具。
【請求項３】
線条部材の一端に設けられた第１留具と、前記線条部材の他端又は別の線条部材の端部に設けられた第２留具と、前記第１留具に設けられた１以上の突起及び／又は１以上の凹部と、前記突起又は凹部と嵌合するように前記第２留具に設けられた１以上の凹部及び／又は１以上の突起とを有し、前記１以上の突起のうちの少なくとも１つの突起の先端に磁石又は磁性体を設け、該突起が嵌合する相手側の凹部の底部に磁性体又は磁石を設け、前記磁石と磁性体との吸着力により前記第１留具と前記第２留具が接合したとき、前記突起が凹部にガタツキのない状態で収容されることを特徴とする留具。
【請求項４】
前記突起が球形で、その突出量が半球を越えていることを特徴とする請求項２記載の留具。
【請求項５】
前記第２留具の磁性体が、前記第１磁石と吸着する第２磁石であることを特徴とする請求項１から４のいずれかに記載の留具。
【請求項６】
前記第１留具と第２留具とが相互に密着可能な接合面を有し、該接合面から前記突起が立設され、前記凹部が接合面に穿設されていることを特徴とする請求項１から５のいずれかに記載の留具。
【発明の詳細な説明】
【技術分野】
【０００１】
本発明は、ネックレスに使用される貴金属製チェーンなどの線条部材の端部を接続して環状にしたり、連続的に接続する場合に使用する留具に関する。
【背景技術】
【０００２】
従来、ネックレスチェーンなどの線条部材を環状にする留具としては、種々の構造のものが知られている。一般にネックレスの留具は、小さいもので、かつ、首の後ろ側で結合するので、目で見て確認することができず、作業がやりにくい。
【０００３】
そこで、磁石で両側の留具を吸着させて結合することが知られている（例えば、特許文献１）。磁石にすれば、留具の両側を近づけるだけでほぼ自動的に吸着させることができる。
【０００４】
図１１は、上記の特許文献１に記載された従来の留具の断面図である。留具１０は、第１留具１１と第２留具１２とから構成され、ネックレスチェーンなどの線条部材２０は、一端に環２０ａを介して第１留具１１と接続し、他端は同じく環２０ａを介して第２留具１２と接続している。第１留具１１と第２留具１２とは共に中空の円形で、内部にドーナツ状の磁石１１ａ、１２ａを嵌装している。第１留具１１には、中心に円柱１１ｂが立設され、この円柱１１ｂは、磁石の吸着面を越えて突出している。他方の第２留具１２には、磁石１２ａの中心に穴１２ｂができている。第１留具１１と第２留具１２には、同じ側にアーム１１ｃ、１２ｃが突設されている。
【０００５】
図１２は、第１留具１１と第２留具１２とを結合した状態を示す断面図である。第１の磁石１１ａの表面と、第２の磁石１２ａの表面とは、一方がＳ極で他方がＮ極としており、相互に吸着するようになっている。したがって、使用者は、第１留具１１と第２留具１２とをそれぞれの接合面が向かい合うようにして接近させればよい。両留具がある程度近づいたら自動的に吸着しあって結合する。このとき、円柱１１ｂが穴１２ｂ内に入り第１留具１１と第２留具１２との位置決めができる。
【０００６】
その後、線条部材２０を左右に引っ張ると、第１留具１１と第２留具１２とは回転して図１０に示すようにアーム１１ｃとアーム１２ｃとが向かい合う位置になる。そして、留具１０を外す際には、アーム１１ｃとアーム１２ｃに指をかけ、相互に近づくような力を加えると、点１３を支点として矢印ａに示す方向に回転し、第１留具１１と第２留具１２とは矢印ｂに示すように回転し、離反することになる。
【０００７】
このような留具１０は、第１留具１１と第２留具１２とを近づけさえしたら、磁石の吸着力で自動的に結合するので、首の後ろの目に見えない場所での結合も簡単にできる。
【特許文献１】特開２００３−３１４
【発明の開示】
【発明が解決しようとする課題】
【０００８】
しかしながら、特許文献１に記載の留具では、円柱１１ｂを穴１２ｂに入れるには、円柱１１ｂの径ｄを、穴１２ｂの径Ｄより小さくしなければならない。特に、アーム１１ｃとアーム１２ｃを近づけるようにすることで外すため、円柱１１ｂは、点１３を中心とした円弧上を移動することになり、円柱１１ｂの径ｄは、穴１２ｂの径Ｄよりかなり小さくする必要がある。また、円柱１１ｂの長さが長すぎると、アーム１１ｃとアーム１２ｃを近づけても円柱１１ｂが穴１２ｂから抜け出ることができなくなるので、短くしなければならない。
【０００９】
円柱１１ｂの長さを短くし、その径ｄを穴１２ｂの径Ｄよりかなり小さくすると、両者の間の隙間のために、留具を結合した状態でガタができ、短いこともあって、外れ易くなるという問題があった。このように従来の円柱形状の突起を穴に嵌合するタイプの留具は、隙間を設けることが必須であり、そのため、ガタツキを無くすことが構造的にできなかった。
【００１０】
磁石１１ａ、１２ａの吸着力を大きくしても、磁力は、吸着面で滑る方向の力には弱く、ガタツキを止めることや、外れるのを防止することは困難である。
【００１１】
本発明は、上記の問題を解決し、結合し易く、外れ難いネックレスなどの線条部材の留具を提供することを目的としている。
【課題を解決するための手段】
【００１２】
上記の目的を達成するために本発明の留具は、線条部材の一端に設けられた第１留具と、前記線条部材の他端又は別の線条部材の端部に設けられた第２留具と、前記第１留具に設けられた１以上の第１磁石及び１以上の半球形の突起及び／又は１以上の凹部と、前記第２留具に設けられた１以上の凹部及び／又は１以上の半球形の突起と、１以上の磁性体とを有し、前記第１磁石と磁性体との吸着力により前記第１留具と前記第２留具が接合したとき、前記半球形の突起が前記凹部にガタツキのない状態で収容されることを特徴としている。
【００１３】
又は、線条部材の一端に設けられた第１留具と、前記線条部材の他端又は別の線条部材の端部に設けられた第２留具と、前記第１留具に設けられた１以上の第１磁石と、１以上の突起及び／又は１以上の凹部と、前記第２留具に設けられた１以上の凹部及び／又は１以上の突起と、１以上の磁性体とを有し、前記突起の根本に隣接した位置の径が突起の根本の径より大きく、前記凹部の入口に隣接した部分が、入口の径より大きな径で、前記第１磁石と磁性体との吸着力により前記第１留具と前記第２留具が接合したとき、前記突起が凹部にガタツキのない状態で収容されることを特徴としている。
【００１４】
又は、線条部材の一端に設けられた第１留具と、前記線条部材の他端又は別の線条部材の端部に設けられた第２留具と、前記第１留具に設けられた１以上の突起及び／又は１以上の凹部と、前記突起又は凹部と嵌合するように前記第２留具に設けられた１以上の凹部及び／又は１以上の突起とを有し、前記１以上の突起のうちの少なくとも１つの突起の先端に磁石又は磁性体を設け、該突起が嵌合する相手側の凹部の底部に磁性体又は磁石を設け、前記磁石と磁性体との吸着力により前記第１留具と前記第２留具が接合したとき、前記突起が凹部にガタツキのない状態で収容されることを特徴としている。
【００１５】
前記球形の突起の前記接合面からの突出量が半球を越えている構成としたり、前記第１留具と第２留具とが接合したとき、それぞれの線条部材が、留具の反対側に位置する構成としたり、前記第１留具と第２留具とが相互に接合したとき、前記２本の線条部材が、留具の同じ側に位置する構成としたり、前記第２留具の磁性体が、前記第１磁石と吸着する第２磁石である構成としたり、前記第１留具と第２留具とが相互に密着可能な接合面を有し、該接合面から前記突起が立設され、前記凹部が接合面に穿設されている構成としたりすることができる。
【発明の効果】
【００１６】
第１留具と第２留具とは、磁石の吸着力によって簡単に結合することができる。このとき一方に形成された突起が、他方に形成された凹部に嵌入することで、第１留具と第２留具とは結合する。突起が半球形なので、凹部の形状によって、突起との間にガタの無い状態で結合させることができ、外れにくくすることができる。
【００１７】
突起の根本に隣接した位置の径が突起の根本の径より大きく、前記凹部の入口に隣接した部分が、入口の径より大きな径となる構成にすると、凹部の入口縁が突起の根本の凹部に入り込むことになり、ガタツキを抑制し易くなると共に、非常に外れにくい結合となる。
【００１８】
突起のうちの少なくとも１つの突起の先端に磁石又は磁性体を設け、該突起が嵌合する相手側の凹部の底部に磁性体又は磁石を設けた構成とすると、留具を小型化することができる。
【００１９】
磁石を第１留具と第２留具の双方に取り付ける構成とすれば、吸着力の強い留具を得ることができる。
【発明を実施するための最良の形態】
【００２０】
以下、本発明の実施の形態を添付図面を参照して説明する。
【００２１】
図１は、本発明の留具１００の図で、図２は断面図である。本発明の留具１００は、第１留具１１０と、第２留具１２０と、から構成されている。ネックレスチェーンなどの線条部材２０は、一端が環２０ａを介して第１留具１１０と接続し、他端は同じく環２０ａを介して第２留具１２０と接続している。第１留具１１０に接続される線条部材２０と、第２留具１２０に接続される線条部材２０とは、同じ線条部材でもよいが、異なる線条部材でもよい。同じ線条部材であれば、環状に接続することになり、異なる線条部材の場合は、２本の線条部材を接続することになる。
【００２２】
第１留具１１０と第２留具１２０とは、同じ大きさの長円形状で、相互に密着可能で平坦な接合面１１１、１２１を有している。第１留具１１０の接合面１１１には、第１磁石１１２と、該第１磁石１１２から離間して形成された球形の突起１１３とが形成されている。他方の第２留具１２０の接合面１２１には、第２磁石１２２と球形の凹部１２３が設けられている。球形の突起１１３の曲率中心１１４は、接合面１１１の外側にあり、突起１１３は半球を越える部分が突出していることになる。一方凹部１２３も球形で、球の曲率中心１２４は接合面１２１より内側に位置している。
【００２３】
第１磁石１１２と第２磁石１２２とは向かい合う面の一方がＮ極で他方がＳ極となっていて、相互に吸着できるようになっている。図では、第１磁石１１２と第２磁石１２２の吸着面は、接合面１１１および１２１と同一面になっているが、第１留具１１０と、第２留具１２０とが接合したとき、２つの接合面１１１と１２１とが重なればよいので、一方が突出し他方が凹んでいてもよい。
【００２４】
図３は、第１留具１１０と第２留具１２０とを結合する状態を示す図で、（ａ）は結合する直前の状態を示す図、（ｂ）は結合後の状態を示す図である。第１留具１１０と第２留具１２０とを結合する場合、一方の端部で２つの留具が重なり、突起１１３が凹部１２３の上に重なる。このとき、第１磁石１１２と第２磁石１２２とは接近しているので、磁力によって吸引される。
【００２５】
突起１１３が球形で、凹部１２３も突起１１３が嵌合するので突起１１３より僅かに大きい球形であるが、突起１１３と凹部１２３が半球を越えている場合には、凹部１２３の入口の径は突起１１３の径が通過できる大きさか、又は僅かに小さくなる。しかし、僅かに小さい場合には、突起１１３は凹部１２３の入口を弾性変形させて内部に進入することができる。図３（ａ）に示すように斜め方向から突起１１３が凹部１２３に向かっても、突起１１３の径と凹部１２３の入口の径との関係は同じであり、同様に凹部１２３に突起１１３を嵌合させることができる。したがって、斜め方向から嵌合させる場合でも、凹部１２３の入口径を大きくする必要はない。
【００２６】
図４は、突起１１３が凹部１２３内に収容された状態を示す拡大断面図である。突起１１３が凹部１２３内に進入すると、突起１１３は凹部１２３内に収容されるが、このとき、凹部１２３の入口Ａの円形の突出した縁は、突起１１３の基部の凹みに入り込み、突起１１３は凹部１２３内にガタツキの無い状態で保持されることになる。
【００２７】
すなわち、図３（ｂ）に示すように、第１留具１１０と第２留具１２０とが結合した後、線条部材２０を左右方向に引っ張っても、第１留具１１０と第２留具１２０とが離反することはない。離反を抑制しているのは、突起１１３と凹部１２３の嵌合であって、磁力とは無関係であるから、磁力を強力にする必要はない。
【００２８】
また、図示の実施例では、第１留具１１０に第１磁石１１２を設け、第２留具１２０に第２磁石１２２を設けたが、第１磁石１１２か第２磁石１２２のいずれか一方のみとし、磁石のない方の留具に磁性体を設けてもよい。
【００２９】
留具１００を外す場合は、第１留具１１０と第２留具１２０とを別々の手で掴み、離反する方向（突起１１３を凹部１２３から引き抜く方向）に引っ張れば、簡単に外すことができる。
【００３０】
図５は、凹部の別の形状を示す図である。上記の実施例では、凹部１２３は球形としているが、凹部の形状は球形に限定されるものではない。図５に示す凹部１２３’は、入口Ａの径より入口に隣接したＢの位置における径の方が大きくなるようにしている。Ｂより奥の方では、凹部１２３’内に球形の突起１１３が収容できればよく、突起１１３との間に隙間ができてもよい。入口ＡからＢの間で、径が徐々に大きくなるようにして、入口Ａの突出した縁部が突起１１３の基部の凹んだところに入り込んでガタツキを止めることができればよい。このようにすることで、凹部１２３’を形成する加工を容易にすることができる。
【００３１】
図６は、図１の実施例において、突起を半球形にした例である。突起１１３’は球の丁度半分で、球の中心１１４は、接合面１１１上にある。突起１１３’が進入する凹部１２３”は、突起１１３’が半球形なので、凹部１２３”の径を突起１１３’の径と一致させ、進入したとき図の左右方向のガタツキが生じないようにすることができる。凹部１２３”の形状は、ガタツキが生じない形状であれば、どのような形状でもよい。図示の実施例では、半球形の凹部１２３”となっている。このような突起１１３’と凹部１２３”との組合せでも、従来のものよりは抜けにくい留具１００’を得ることができる。
【００３２】
図７は、本発明の第２実施例を示す図で、（ａ）は留具の平面図、（ｂ）は結合した状態の中央断面図である。
【００３３】
この留具１５０は、第１留具１６０と、第２留具１７０と、から構成されている。第１留具１６０と、第２留具１７０には、一端に段１６４、１７４が設けられ、位置決めし易い構成になっている。線条部材２０は、段１６４、１７４に接続される。
【００３４】
第１留具１６０と第２留具１７０とは、相互に密着可能で平坦な接合面を有している。第１留具１６０の接合面には、第１磁石１６２と、該第１磁石１６２から離間して形成された凹部１６３が形成されている。他方の第２留具１７０の接合面には、第２磁石１７２と球形の突起１７３が形成されている。球形の突起１７３の曲率中心は、接合面と同一面内か又は接合面の外側にあり、突起１７３は半球以上の部分が突出していることになる。一方凹部１６３も球形で、球の曲率中心は接合面と同一面内か、接合面より内側に位置している。
【００３５】
図８は、本発明の第３実施例を示す図で、（ａ）は留具が結合した状態を示す図で、（ｂ）は結合前の断面図である。
【００３６】
この留具２００は、第１留具２１０と、第２留具２２０と、から構成されているが、第１留具２１０と第２留具２２０のそれぞれに、球形の突起と凹部の双方を形成したことに特徴がある。ネックレスチェーンなどの線条部材２０は、一端が環２０ａを介して第１留具２１０と接続し、他端は同じく環２０ａを介して第２留具２２０と接続している。線条部材２０は、第１留具２１０と第２留具２２０の同じ側に接続していることも、この実施例の特徴である。
【００３７】
第１留具２１０と第２留具２２０とは、同じ大きさの長円形状で、相互に密着可能で平坦な接合面を有している。第１留具２１０の接合面２１１には、第１磁石２１２と、該第１磁石２１２から離間して形成された球形の突起２１３と、球形の凹部２１４が形成されている。他方の第２留具２２０の接合面２２１には、第２磁石２２２と球形の凹部２２３と球形の突起２２４が設けられている。突起２１３と突起２２４の球の曲率中心は、接合面２１１、２２１の外側にあり、突起２１３、２２４は半球以上の部分が突出していることになる。一方凹部２１４、２２３も球形で、球の中心は接合面２１１、２２１より内側に位置している。
【００３８】
第１磁石２１２と第２磁石２２２とは向かい合う面の一方がＮ極で他方がＳ極となっている。図では、第１磁石２１２と第２磁石２２２の吸着面は、接合面２１１および２２１と同一面になっているが、第１留具２１０と、第２留具２２０とが接合したとき、２つの接合面２１１と２２１とが重なればよいので、一方が突出し他方が凹んでいてもよい。
【００３９】
図８の留具の使用法は図１の留具１００と同様で、第１留具２１０と第２留具２２０を重ねて軽く押し付ければ突起２１３、２２４が凹部２１４、２２３に嵌入して結合する。線条部材２０が第１留具２１０と第２留具２２０の同じ側にあるので、図７（ａ）のように結合する。この後、線条部材２０を図の上下方向に引っ張っても、第１留具２１０と第２留具２２０は離れることはない。第１留具２１０と第２留具２２０とを重なりの方向と反対方向（接合面２１１、２２１と直交方向）に引き離すことで、留具を外すことができる。
【００４０】
図８の実施例に示すように、一方の留具に突起と凹部の双方を形成すれば、第１留具２１０と、第２留具２２０の主要部分を共通の部品として製造することができる。また、図示は省略するが、一方の留具に複数の突起を設け、他方に同じ数の凹部を設けてもよい。
【００４１】
なお、図５で説明したように、凹部２１４と２２３とは、球形に限定されるものではない。
【００４２】
図９は、図１の留具１００の第１留具１１０と第２留具１２０の同じ側に線条部材２０を接続した例である。突起１１３と凹部１２３とが結合する側に線条部材２０を接続しているので、留具１００を接続した後に、図７の実施例のように、線条部材２０を反対方向に引っ張っても、留具１００は離れることがない。
【００４３】
図１０は、突起と凹部に磁石を取り付けた実施例である。（ａ）は第１留具と第２留具が分離した状態の断面図で、（ｂ）は結合した状態の断面図で、（ｃ）は突起と凹部の拡大図である。
【００４４】
この留具２５０は、第１留具２６０と、第２留具２７０と、から構成されている。第１留具２６０には、接合面２６１があり、第２留具２７０には、接合面２７１がある。第１留具２６０の接合面２７１に突起２６３を形成し、第２留具２７０の接合面２７１に凹部２７３を穿設している。ネックレスチェーンなどの線条部材２０は、一端が環２０ａを介して第１留具２６０と接続し、他端は同じく環２０ａを介して第２留具２７０と接続している。
【００４５】
突起２６３は球形の一部を用いた形状で、突起２６３の根本の径をｈ’とし、根本から若干離れた根本近傍の位置における径をｈとした場合、ｈ＞ｈ’となっている。すなわち、根本がくびれた形状である。凹部２７３の方は、入口の径をＨ’として、入口から若干離れた入口近傍における径をＨとした場合、Ｈ＞Ｈ’の関係が成り立つ。すなわち、凹部は巾着のような形状となっている。また、突起２６３の最大径は、凹部２７３の入口径Ｈ’と同じか若干大きくなっている。
【００４６】
突起２６３の先端には第１磁石２６２が埋め込まれて、平面になっている。凹部２７３の底部には、第２磁石２７２が埋め込まれて、やはり、平面になっている。第１磁石２６２の表面の極性と、第２磁石２７２の表面の極性とは反対になっているので、相互に吸着する関係にある。
【００４７】
第１留具２６０と、第２留具２７０とを近接させ、突起２６３を凹部２７３に挿入すると、第１磁石２６２と第２磁石２７２とが吸着し合って、第１留具２６０と第２留具２７０とは結合する。このとき、前述したように、ｈ＞ｈ’の関係と、Ｈ＞Ｈ’の関係が成り立ち、かつ、突起２６３の最大径は、凹部２７３の入口径Ｈ’と同じか若干大きくなっているので、突起２６３は凹部２７３の入口を弾性変形させて凹部２７３内に入り込み、ガタツキが殆どない状態で嵌合する。嵌合すると、線条部材２０を左右に引っ張っても、外れることはない。第１留具２６０と、第２留具２７０とを離反させるには、接合面２６１、２７１と直交する方向に力を加え、突起２６３を凹部２７３から抜き出すようにすればよい。
【図面の簡単な説明】
【００４８】
【図１】本発明の留具の図である。
【図２】本発明の留具の断面図である。
【図３】第１留具と第２留具とを結合する状態を示す図で、（ａ）は結合する直前の状態を示す図、（ｂ）は結合後の状態を示す図である。
【図４】突起が凹部内に収容された状態を示す拡大断面図である。
【図５】凹部の別の形状を示す図である。
【図６】図１の実施例において、突起を半球形にした例である。
【図７】本発明の第２実施例を示す図で、（ａ）は留具の平面図、（ｂ）は結合した状態の中央断面図である。
【図８】本発明の第３実施例を示す図で、（ａ）は留具が結合した状態を示す図で、（ｂ）は結合前の断面図である。
【図９】図１の留具の第１留具と第２留具の同じ側に線条部材を接続した例である。
【図１０】突起と凹部に磁石を取り付けた実施例で、（ａ）は第１留具と第２留具が分離した状態の断面図で、（ｂ）は結合した状態の断面図で、（ｃ）は突起と凹部の拡大図である。
【図１１】従来の留具の断面図である。
【図１２】従来の第１留具と第２留具とを結合した状態を示す断面図である。
【符号の説明】
【００４９】
２０      線条部材
２０ａ  環
１００  留具
１１０  第１留具
１１１  接合面
１１２  第１磁石
１１３  球形の突起
１１４  球形の曲率中心
１２０  第２留具
１２１  接合面
１２２  磁石
１２３  凹部
１２４  球形の曲率中心
１５０  留具
１６０  第１留具
１６２  第１磁石
１６３  凹部
１７０  第２留具
１７２  第２磁石
１７３  球形の突起
２００  留具
２１０  第１留具
２１１  接合面
２１２  第１磁石
２１３  球形の突起
２１４  凹部
２２０  第２留具
２２１  接合面
２２２  第２磁石
２２３  凹部
２２４  球形の突起
【図１】
2009268856.tif 000003
【図２】
2009268856.tif 000004
【図３】
2009268856.tif 000005
【図４】
2009268856.tif 000006
【図５】
2009268856.tif 000007
【図６】
2009268856.tif 000008
【図７】
2009268856.tif 000009
【図８】
2009268856.tif 000010
【図９】
2009268856.tif 000011
【図１０】
2009268856.tif 000012
【図１１】
2009268856.tif 000013
【図１２】
2009268856.tif 000014